(57)【要約】【課題】過去に車両で走行したことがある場所を思い出すきっかを与えることができる技術を提供する。【解決手段】車両用装置は、地図情報、及び、位置情報に基づいて情報処理を行う。車両用装置は、当該車両用装置が搭載される自車両が走行した場所に関する情報を、場所の特徴を示す属性情報と関連付けて過去の走行情報として記憶処理を行う記憶処理部と、前記自車両の現在の走行位置の近傍に存在する前記属性情報と、前記過去の走行情報に含まれる前記属性情報との比較に基づいて、前記過去の走行情報に関する報知を行うか否かを判断する報知処理部と、を備える。【選択図】図１
2018205261.tif 000002
【特許請求の範囲】
【請求項１】
地図情報、及び、位置情報に基づいて情報処理を行う車両用装置であって、
当該車両用装置が搭載される自車両が走行した場所に関する情報を、場所の特徴を示す属性情報と関連付けて過去の走行情報として記憶処理を行う記憶処理部と、
前記自車両の現在の走行位置の近傍に存在する前記属性情報と、前記過去の走行情報に含まれる前記属性情報との比較に基づいて、前記過去の走行情報に関する報知を行うか否かを判断する報知処理部と、
を備える、車両用装置。
【請求項２】
前記記憶処理部は、前記自車両が所定の前記属性情報を有する場所を走行したと判断される場合に前記記憶処理を行う、請求項１に記載の車両用装置。
【請求項３】
前記記憶処理部は、前記属性情報に加えて、前記属性情報を有する場所の特徴を更に細かく分類する付加情報も関連付けて前記記憶処理を行う、請求項１又は２に記載の車両用装置。
【請求項４】
前記報知処理部は、前記自車両の現在の走行位置の近傍に存在する前記属性情報と同じ前記属性情報を有する前記過去の走行情報を検出した場合に、検出した前記過去の走行情報を報知する処理を行う、請求項１から３のいずれか１項に記載の車両用装置。
【請求項５】
前記報知処理部は、前記属性情報に前記付加情報も加えて、前記過去の走行情報に関する報知を行うか否かを判断する、請求項３に記載の車両用装置。
【請求項６】
前記報知処理部は、前記自車両の現在の走行位置の近傍に存在する前記属性情報及び前付加情報と同じ情報を有する前記過去の走行情報を検出した場合に、検出された前記過去の走行情報を報知する処理を行う、請求項５に記載の車両用装置。
【請求項７】
前記自車両が走行した場所に関する情報には、前記自車両に搭載されるカメラで撮影された撮影情報が含まれ、
前記報知処理部は、前記撮影情報を再生する処理を行う、請求項１から６のいずれか１項に記載の車両用装置。
【請求項８】
前記過去の走行情報には、走行中に前記自車両内で生じた音声に関する音声情報が含まれ、
前記報知処理部は、前記音声情報を再生する処理を行う、請求項１から７のいずれか１項に記載の車両用装置。
【請求項９】
地図情報、及び、位置情報に基づいて情報処理を行う車両用装置における情報処理方法であって、
前記車両用装置が搭載される自車両が走行した場所に関する情報を、場所の特徴を示す属性情報と関連付けて過去の走行情報として記憶処理を行う記憶処理工程と、
前記自車両の現在の走行位置の近傍に存在する前記属性情報と、前記過去の走行情報に含まれる前記属性情報との比較に基づいて、前記過去の走行情報に関する報知を行うか否かを判断する報知処理工程と、
を備える、情報処理方法。
【発明の詳細な説明】
【技術分野】
【０００１】
本発明は、車両用装置、及び、車両用装置における情報処理方法に関する。
【背景技術】
【０００２】
特許文献１には、予め設定された地点に到達したときに撮像を開始し、記録部へ映像を保存させる制御部を備えた車両用撮像装置が開示される。これにより、車外の風景等を自動的に撮像して保存することができる。
【０００３】
従来においては、自動的に撮像された映像情報を再生する場合、ユーザは、例えば、日時や撮像場所等によって分類された保存情報一覧（ファイル一覧）を、ナビゲーション装置等の表示画面に表示させる必要がある。ユーザは、保存情報一覧の中から再生対象とするファイルを選択して保存映像情報を再生する。
【先行技術文献】
【特許文献】
【０００４】
【特許文献１】特開２００９−２５８８９７号公報
【発明の概要】
【発明が解決しようとする課題】
【０００５】
例えば、車両のドライバ等は、走行中に、似たような風景やランドマークタワーの傍を走行した過去の記憶を思い出せると便利である。思い出した過去の記憶により、例えばドライブ中の会話が弾む等の効果が期待できる。例えば、特許文献１のような技術を使って、風景等の映像情報を自動的に保存しておくと、当該映像情報の再生により、会話が弾む等の効果が期待できる。しかしながら、車両のドライバ等は、過去に似たような風景等の映像を撮影したことに気付かない場合がある。特許文献１のように、予め条件設定を行い、自動的に風景等の映像を撮影する構成では、車両のドライバ等は、過去の撮影情報のことを忘れやすくなる可能性がある。
【０００６】
本発明は、上記課題に鑑みてなされたものであり、過去に車両で走行したことがある場所を思い出すきっかを与えることができる技術を提供することを目的とする。
【課題を解決するための手段】
【０００７】
上記目的を達成するために本発明の車両用装置は、地図情報、及び、位置情報に基づいて情報処理を行う車両用装置であって、当該車両用装置が搭載される自車両が走行した場所に関する情報を、場所の特徴を示す属性情報と関連付けて過去の走行情報として記憶処理を行う記憶処理部と、前記自車両の現在の走行位置の近傍に存在する前記属性情報と、前記過去の走行情報に含まれる前記属性情報との比較に基づいて、前記過去の走行情報に関する報知を行うか否かを判断する報知処理部と、を備える構成（第１の構成）になっている。
【０００８】
上記第１の構成の車両用装置において、前記記憶処理部は、前記自車両が所定の前記属性情報を有する場所を走行したと判断される場合に前記記憶処理を行う構成（第２の構成）であることが好ましい。
【０００９】
上記第１又は第２の構成の車両用装置において、前記記憶処理部は、前記属性情報に加えて、前記属性情報を有する場所の特徴を更に細かく分類する付加情報も関連付けて前記記憶処理を行う構成（第３の構成）であってよい。
【００１０】
上記第１から第３のいずれかの構成の車両用装置において、前記報知処理部は、前記自車両の現在の走行位置の近傍に存在する前記属性情報と同じ前記属性情報を有する前記過去の走行情報を検出した場合に、検出した前記過去の走行情報を報知する処理を行う構成（第４の構成）であってよい。
【００１１】
上記第３の構成の車両用装置において、前記報知処理部は、前記属性情報に前記付加情報も加えて、前記過去の走行情報に関する報知を行うか否かを判断する構成（第５の構成）であってよい。
【００１２】
上記第５の構成の車両用装置において、前記報知処理部は、前記自車両の現在の走行位置の近傍に存在する前記属性情報及び前付加情報と同じ情報を有する前記過去の走行情報を検出した場合に、検出された前記過去の走行情報を報知する処理を行う構成（第６の構成）であってよい。
【００１３】
上記第１から第６のいずれかの構成の車両用装置において、前記自車両が走行した場所に関する情報には、前記自車両に搭載されるカメラで撮影された撮影情報が含まれ、前記報知処理部は、前記撮影情報を再生する処理を行う構成（第７の構成）であることが好ましい。
【００１４】
上記第１から第７のいずれかの構成の車両用装置において、前記過去の走行情報には、走行中に前記自車両内で生じた音声に関する音声情報が含まれ、前記報知処理部は、前記音声情報を再生する処理を行う構成（第８の構成）であることが好ましい。
【００１５】
上記目的を達成するために本発明の情報処理方法は、地図情報、及び、位置情報に基づいて情報処理を行う車両用装置における情報処理方法であって、前記車両用装置が搭載される自車両が走行した場所に関する情報を、場所の特徴を示す属性情報と関連付けて過去の走行情報として記憶処理を行う記憶処理工程と、前記自車両の現在の走行位置の近傍に存在する前記属性情報と、前記過去の走行情報に含まれる前記属性情報との比較に基づいて、前記過去の走行情報に関する報知を行うか否かを判断する報知処理工程と、を備える構成（第９の構成）になっている。
【発明の効果】
【００１６】
本発明によると、過去に車両で走行したことがある場所を思い出すきっかを与えることができる技術を提供することができる。
【図面の簡単な説明】
【００１７】
【図１】第１の実施の形態に係る、車両用装置を含む情報処理システムの構成を示すブロック図
【図２】記憶処理部による記憶処理の手順を例示するフローチャート
【図３】報知処理部による報知処理の手順を例示するフローチャート
【図４】表示装置の表示画面を例示する模式図
【図５】同じ属性情報を有する過去の走行情報が有った場合の表示装置の表示画面の一例を示す模式図
【図６】動画が再生された場合の表示装置の表示画面の一例を示す模式図
【図７】第２の実施の形態に係る車両用装置が備える不揮発性メモリについて説明するための図
【図８】記憶用付加情報について説明するための模式図
【図９】報知用付加情報について説明するための模式図
【発明を実施するための形態】
【００１８】
以下、本発明の例示的な実施形態について、図面を参照しながら詳細に説明する。
【００１９】
＜１．第１の実施の形態＞
＜１−１．システムの概要＞
図１は、本発明の第１の実施の形態に係る、車両用装置１を含む情報処理システム１００の構成を示すブロック図である。本実施の形態では、情報処理システム１００は、走行中に撮影された所定の動画情報を自動的に記憶し、所定の条件に基づいて記憶した動画情報の存在を報知する処理を行う。図１に示すように、情報処理システム１００は、車両用装置１と、カメラ２と、マイク３と、報知部４とを備える。
【００２０】
車両用装置１は、地図情報、及び、位置情報に基づいて情報処理を行う。車両用装置１は、例えば、ドライブレコーダ、カーナビゲーション、ドライブレコーダ内蔵のカーナビゲーション等であってよい。車両用装置１は、車両に常時搭載される車載器であってもよいが、例えばスマートフォン等の車両の外に持ち出せる携帯型機器であってもよい。車両用装置１の詳細については後述する。
【００２１】
カメラ２は車両の適所に搭載される。本実施の形態では、カメラ２は、車両の前方を撮影するフロントカメラである。カメラ２は、その光軸が車両の前方に向けられた状態でフロントガラスの上部付近に配置される。本実施の形態のカメラ２の数及び配置は例示である。カメラ２は、例えば、前方を撮影するフロントカメラと、後方を撮影するバックカメラとを含んで構成されてよい。カメラ２は、車両用装置１に有線又は無線で接続される。カメラ３は、車両用装置１に撮影情報を出力する。なお、カメラ２は、車両用装置１と一体的に設けられる構成であってもよい。
【００２２】
マイク３は車両の適所に搭載される。本実施の形態では、マイク３は、例えば車両に搭載されるオーディオ装置の近傍に配置される。なお、オーディオ装置は、車両用装置１に一体化されていてもよいし、車両用装置１とは別の装置であってもよい。マイク３は、車両内の音を集音して電気信号に変換する。マイク３は、車両用装置１に有線又は無線で接続されて、車両用装置１に音声情報を出力する。なお、車両内の音には、例えば、オーディオ装置やラジオから出力される音声や、車両の乗員の会話等が含まれてよい。オーディオ装置で再生される音声情報は、場合によっては、マイク３を介することなく、直接的に車両用装置１に出力されてもよい。また、マイク３は、車両用装置１と一体的に設けられる構成であってもよい。
【００２３】
報知部４は、車両用装置１からの指示に基づいて情報を報知する。本実施の形態では、報知部４は表示装置４１とスピーカ４２とを含む。本実施の形態では、報知部４は、車両用装置１と別に設けられ、車両用装置１と有線又は無線で接続される。ただし、これは例示である。報知部４は、車両用装置１と一体的に設けられる構成であってもよい。表示装置４１は、車両用装置１で再生された動画情報を表示画面に表示する。表示装置４１は、例えば、液晶ディスプレイやヘッドアップディスプレイ等であってよい。スピーカ５は、車両用装置１で再生された音声情報を音に変換して車両内に出力する。
【００２４】
＜１−２．車両用装置の詳細構成＞
図１に示すように、車両用装置１は、制御部１０と、ＲＡＭ（Random Access Memory）１１と、不揮発性メモリ１２と、画像処理部１３と、操作部１４と、カードスロット１５と、計時回路１６と、ＧＰＳ（Global Positioning System）受信部１７とを備える。
【００２５】
制御部１０は、演算処理を行うことで各種の制御機能を実現するＣＰＵ（Central Processing Unit）を備えるコンピュータである。制御部１０は、車両用装置１が備える不揮発性メモリ１２に接続され、不揮発性メモリ１２に記憶されたプログラムに基づいて情報の処理を行い、車両用装置１の全体を制御する。
【００２６】
ＲＡＭ１１は演算処理の作業領域となる。本実施の形態では、ＲＡＭ１１の記憶領域のうちの一部は、リングバッファとして利用される。このリングバッファに、画像処理部１３で処理された画像データ、及び、マイク３から出力された音声データが記憶される。リングバッファでは、最後の領域までデータが記憶されると、最初の領域に戻って新たなデータが記憶される。すなわち、リングバッファでは、最も古いデータに対して新たなデータが順次に上書きされていく。
【００２７】
不揮発性メモリ１２は、制御部１０が演算処理を行うためのプログラムの他、各種データを記憶する。本実施の形態では、不揮発性メモリ１２に記憶されるデータには、地図情報１２１及び属性情報データベース１２２が含まれる。不揮発性メモリ１２は、例えばハードディスクやフラッシュメモリ等であってよい。
【００２８】
なお、本明細書では、属性情報は場所の特徴を示す情報である。属性情報データベース１２２には、例えば、ランドマークタワー、公園、神社、寺、港、飛行場、滝、山など、地図情報に記載される名称から分類することができる場所の情報が含まれる。属性情報データベース１２２に含まれる情報は、車両用装置１のユーザが適宜変更することができてよい。属性情報データベース１２２は、ユーザが新規に作成することができてもよい。
【００２９】
画像処理部１３は、カメラ２で撮影された画像データを処理する。本実施の形態では、画像処理部１３はハードウェア回路である。画像処理部１３は、カメラ２から入力される画像データに対して所定の画像処理を行い、所定の形式のデジタル画像データを生成する。所定の画像処理には、例えば、Ａ／Ｄ変換、輝度補正、コントラスト補正等が含まれる。所定の形式は、例えばＪＰＥＧ形式等であってよい。画像処理部１３で処理された画像データは、ＲＡＭ１１に記憶される。
【００３０】
操作部１４は、車両の運転者等のユーザからの指示を受け付ける。操作部１４は、例えば、車両用装置１を構成する筐体（不図示）の一部に設けられてもよいし、運転者が操作しやすいように、ステアリングホイールの近傍等に設けられてもよい。操作部１４は、例えば、入力ボタンやタッチパネル等であってよい。
【００３１】
カードスロット１５は、メモリカード１５０を着脱可能に構成される。メモリカード１５０には、例えば、ＳＤメモリカード（登録商標）やＵＳＢ（Universal Serial Bus）メモリ等が含まれる。カードスロット１５にメモリカード１５０が装着されることにより、メモリカード１５０からのデータの読み取りや、メモリカード１５０へのデータの書き込みが可能になる。本実施の形態では、ＲＡＭ１１のリングバッファに記憶された画像データ及び音声データは、制御部１０の指示によってカードスロット１５に装着されたメモリカード１５０に記憶される。
【００３２】
なお、画像データ及び音声データを記憶する記憶媒体は、メモリカード１５０に替えて、例えば、ハードディスクドライブ、光ディスク、光磁気ディスク、フレキシブルディスク等であってもよい。メモリカード１５０以外の記憶媒体が用いられる場合には、カードスロット１５に代わる構成要素が車両用装置１に備えられる。例えば、カードスロット１５の代わりに、光ディスク装置等が車両用装置１に備えられる。
【００３３】
計時回路１６は、現在時刻に対応した信号を発生して制御部１０に出力する。計時回路１６は、例えば、内蔵電池を有することで、外部から電力供給を受けなくても動作して正確な時刻を計時する。
【００３４】
ＧＰＳ受信部１７は、複数のＧＰＳ衛星からの信号を受信して、現在時刻における車両の位置である自車位置を取得する。ＧＰＳ受信部１７は、地球上における経度緯度で表現された位置情報として自車位置を取得して、制御部１０に出力する。なお、ＧＰＳ受信部１７は、ＧＰＳ衛星からの信号に基づき、正確な時刻を検出できる。このために、ＧＰＳ受信部１７が、計時回路１６の代わりに用いられてもよい。また、ＧＰＳ受信部１７は、計時回路１６の時刻を修正するために利用されてよい。
【００３５】
図１に示すように、車両用装置１は、記憶処理部１０１と報知処理部１０２とを備える。各部１０１、１０２の機能は、不揮発性メモリ１２に記憶されたプログラムにしたがって制御部１０のＣＰＵが演算処理を実行することによって実現される。
【００３６】
記憶処理部１０１は、車両用装置１が搭載される自車両が走行した場所に関する情報を、場所の特徴を示す属性情報と関連付けて過去の走行情報として記憶処理を行う。本実施の形態では、自車両が走行した場所に関する情報には、自車両に搭載されるカメラ２で撮影された撮影情報が含まれる。また、本実施の形態では、過去の走行情報には、記憶処理を行う場所を走行中に自車両内で生じた音声に関する音声情報も含まれる。記憶処理部１０１は、画像情報、音声情報、及び、属性情報を含む過去の走行情報を、メモリカード１５０に記憶する処理を行う。
【００３７】
記憶処理部１０１は、所定の条件に基づいて過去の走行情報の記憶処理を自動的に行う。本実施の形態では、記憶処理部１０１は、自車両が所定の属性情報を有する場所を走行したと判断される場合に過去の走行情報の記憶処理を行う。本実施の形態では、所定の属性情報を有する場所は、属性情報データベース１２２に記憶される属性情報を有する場所のことである。本実施の形態によれば、所定の属性情報を含む過去の走行情報を自動的に蓄積していくことができる。本実施の形態によれば、同じ属性情報を有する複数種類の動画を自動的に収集することができ、コレクション性を楽しむこともできる。
【００３８】
例えば、属性情報データベース１２２の中に、属性情報としてランドマークタワーが含まれているとする。この場合、記憶処理部１０１は、自車両が東京タワーを通過したと判断すると、自車両が東京タワーの傍を走行した際に撮影された動画をランドマークタワーという属性情報と関連付けてメモリカード１５０に記憶する処理を行う。なお、ここでは、カメラ２によって撮影される撮影情報が常時に記憶されていることを前提としている。また、自車両が東京タワーを通過した否かは、地図情報１２１と、ＧＰＳ受信部１７から取得される自車両の位置情報とによって判断することができる。本実施の形態では、記憶処理部１０１は、自車両が東京タワーの傍を走行した際に自車両内で流れていた音楽等の、マイク３によって取得された音声情報もメモリカード１５０に記憶する処理を行う。
【００３９】
なお、過去の走行情報の記憶処理の手法は、本実施の形態の構成に限定されない。例えば、記憶処理部１０１は、不揮発性メモリ１２等に予め記憶される撮影ポイントを通過したと判断される場合に、過去の走行情報の記憶処理を行ってもよい。この場合、撮影ポイントには、属性情報データベースに含まれる属性情報を有する場所が含まれる。
【００４０】
報知処理部１０２は、自車両の現在の走行位置の近傍に存在する属性情報と、過去の走行情報に含まれる属性情報との比較に基づいて、過去の走行情報に関する報知を行うか否かを判断する。詳細には、報知処理部１０２は、自車両の現在の走行位置をＧＰＳ受信部１７から得られる情報によって把握する。報知処理部１０２は、自車両の走行位置の近傍に属性情報があるか否かを、地図情報１２１及び属性情報データベース１２２を参照して確認する。報知処理部１０２は、自車両の走行位置の近傍に属性情報がある場合、当該属性情報と、過去の走行情報に含まれる属性情報とを比較する。すなわち、本実施の形態によれば、自車両が属性情報データベース１２２に含まれる属性情報を有する場所に近づいた場合に、ユーザが過去に似た場所を訪れたことがあるか否かを自動的に検出することができる。
【００４１】
本実施の形態では、報知処理部１０２は、自車両の現在の走行位置の近傍に存在する属性情報と同じ属性情報を有する過去の走行情報を検出した場合に、検出した過去の走行情報を報知する処理を行う。これによれば、自車両が現在走行する場所と似た場所を過去に訪れたことがあることを、ユーザに報知することができる。
【００４２】
例えば、自車両が東京スカイツリーの近傍を走行しており、属性情報データベース１２２にランドマークタワーが含まれているとする。また、メモリカード１５０に、過去の走行情報として、東京タワーを通過した時の動画情報（撮影情報）が含まれているとする。当該動画情報は、属性情報であるランドマークタワーと関連付けて記憶されている。この場合、報知処理部１０２は、東京スカイツリーの接近によって自車両の近傍に属性情報データベース１２２に含まれるランドマークタワーがあることを認識する。報知処理部１０２は、メモリカード１５０にランドマークタワーと関連付けられた動画情報があるか否かを確認する。この確認によって、報知処理部１０２は、過去に東京タワーを通過した時の動画情報があることを検出する。報知処理部１０２は、このことを報知する処理を行う。
【００４３】
本実施の形態では、報知処理部１０２は、カメラ２で撮影された撮影情報を再生する処理を行う。再生された画像情報は、表示装置４１に出力され、表示画面に表示される。これによれば、過去に同一の属性情報を有する場所を訪れたことがある場合に、ユーザは、その際の動画等の画像情報を見ることができる。これにより、ユーザは、過去の行動を懐かしんだり、当該過去の行動を話の題材として会話を行ったりすることができる。すなわち、ドライブのエンターテーメント性を向上することができる。
【００４４】
なお、報知処理部１０２は、検出された過去の走行情報の存在を報知するために、過去に東京タワーを通過したときの動画情報があることを検出した直後に動画を再生する処理を行ってもよいが、当該動画の存在を報知する処理を動画の再生の前に行ってもよい。後者の場合には、動画の存在を報知処理した後のユーザの対応にしたがって、動画の再生処理を行うか否かが決定されてよい。
【００４５】
本実施の形態では、報知処理部１０２は、走行情報に含まれる音声情報を再生する処理を行う。詳細には、報知処理部１０２は、動画と同期して動画の撮影時に流れていた音楽等の音声情報を再生する処理を行う。再生された音声情報は、スピーカ４２に出力されて音声に変換される。これによれば、過去の動画と共に、動画が撮影された際に車両内で流れていた音楽等の音声情報をユーザに提供することができる。このために、ユーザに懐かしい情報をより多く提供することができる。
【００４６】
なお、本実施の形態では、過去の走行情報の中に、カメラ２で撮影された撮影情報が含まれる構成とした。しかし、これは例示であり、過去の走行情報には、カメラ２で撮影された撮影情報は含まれなくてもよい。この場合、過去の走行情報は、例えば、自車両が走行した場所を示す位置情報と、その傍に存在する属性情報と、その場所を訪れた日時とで構成されてよい。自車両が走行した場所を示す位置情報は、例えば、「東京タワー」等の場所の名称を示すテキスト情報であってもよい。報知処理部１０２は、動画の再生処理部としての機能を有さず、単に文字やマーク等を表示装置４１に表示させる機能を有する構成であってもよい。本構成によれば、動画情報をメモリカード１５０に記憶する必要がなく、メモリカード１５０に記憶するデータ量を小さくすることができる。このような構成であっても、ユーザが過去に似た場所を走行した記憶を思い出すきっかけを与えることができる。本構成では、情報処理システム１００はカメラ２を有さない構成であってよい。また、例えば、情報の報知が、画面を使用せず、音声で行われる構成であれば、情報処理システム１００は表示装置４１を備えなくてもよい。
【００４７】
また、本実施の形態では、過去の走行情報の中に、マイク３で集音した音声情報が含まれる構成とした。しかし、これは例示であり、過去の走行情報には、音声情報は含まれなくてもよい。この場合、報知処理部１０２は、音声情報を再生する再生処理部としての機能を有さない構成であってよい。また、情報処理システム１００は、マイク３及びスピーカ５を有さない構成であってもよい。
【００４８】
＜１−３．記憶処理部による記憶処理＞
以下、記憶処理部１０１による記憶処理の手順について例示する。図２は、記憶処理部１０１による記憶処理の手順を例示するフローチャートである。本実施例では、車両用装置１は、カメラ２で撮影された撮影画像情報を、マイク３で集音される音声情報とともに常時にメモリカード１５０に記憶する。
【００４９】
記憶処理部１０１は、自車両が記憶開始地点に入ったか否かを監視する（ステップＳ１）。当該監視は、地図情報１２１、属性情報データベース１２２、及び、ＧＰＳ受信部１７から得られる自車両の位置情報に基づいて行われる。詳細には、記憶処理部１０１は、自車両が属性情報を有する場所に接近したか否かを常時に監視する。そして、記憶処理部１０１は、自車両が属性情報を有する場所を通過する道路を走行し、且つ、自車両が属性情報を有する場所から所定範囲内に存在すると判断される場合に、自車両が記憶開始地点に入ったと認識する。所定範囲内は、例えば１ｋｍ以内等であってよい。
【００５０】
記憶処理部１０１は、自車両が記憶開始地点に入ったと認識すると（ステップＳ１でＹｅｓ）、その時点の時刻を第１時刻として記憶する（ステップＳ２）。第１時刻は例えばＲＡＭ１１に記憶される。
【００５１】
その後、記憶処理部１０１は、自車両が記憶終了地点を通過したか否かを監視する（ステップＳ３）。当該監視は、地図情報１２１、及び、ＧＰＳ受信部１７から得られる自車両の位置情報に基づいて行われる。記憶終了地点は、例えば、自車両が属性情報を有する場所を通過した地点であってよい。記憶終了地点は、属性情報を有する場所から所定距離進んだ地点であってもよい。
【００５２】
なお、自車両が記憶開始地点を通過してから、例えば、記憶終了地点を通過しないで別の場所に行くことも起こり得る。このために、例えば、自車両が所定期間を過ぎても記憶終了地点を通過しない場合には、後述の、属性情報が関連付けられた撮影情報の記憶処理を行わない構成としてもよい。
【００５３】
記憶処理部１０１は、自車両が記憶終了地点を通過したと認識すると（ステップＳ３でＹｅｓ）、その時点の時刻を第２時刻として記憶する（ステップＳ４）。第２時刻は例えばＲＡＭ１１に記憶される。
【００５４】
記憶処理部１０１は、メモリカード１５０に記憶された撮影情報及び音声情報から、第１時刻から第２時刻までの情報を抜出し、通過した場所の属性情報と関連付けてメモリカード１５０に過去の走行情報として記憶する（ステップＳ５）。過去の走行情報には、動画情報、音声情報、及び、属性情報が含まれる。なお、既に記憶されている過去の走行情報がある場合、この情報とは別の領域に新たな過去の走行情報が記憶される。すなわち、メモリカード１５０には、複数の過去の走行情報が蓄積される。
【００５５】
この後、記憶処理部１０１は、動作終了イベントが発生しているか否かを確認する（ステップＳ６）。動作終了イベントとしては、例えば自車両のエンジン停止等、カメラ２の撮影情報が車両用装置１に入力されなくなった状態が挙げられる。動作終了イベントが発生していなければ（ステップＳ６でＮｏ）、ステップＳ１に戻る。一方、動作終了イベントが発生していれば（ステップＳ６でＹｅｓ）、車両用装置１は図２に示すフローチャートの動作を終了する。
【００５６】
なお、ステップＳ６を実施する代わりに、動作終了イベントが発生しているか否かを車両用装置１がフローチャートの動作中常時監視し、動作終了イベントが発生すれば直ちにフローチャートの動作を終了する構成としてもよい。この場合、ステップＳ５の処理が終わるとステップＳ１に戻るようにすればよい。
【００５７】
本実施例では、車両用装置１が、カメラ２で撮影された画像情報を常時にメモリカード１５０に記憶している場合の処理を説明したが、これは例示である。本発明は、車両用装置１が、カメラ２で撮影された画像情報を常時にメモリカード１５０に記憶しない構成にも適用できる。例えば、ステップＳ１で自車両が記憶開始地点を通過した場合にカメラ２の撮影情報の記憶が開始され、ステップＳ３で自車両が記憶終了地点を通過した場合にカメラ２の撮影情報の記憶が終了される構成としてもよい。この場合、記憶開始地点から記憶終了地点までの間に記憶された撮影情報に属性情報が関連付けられて、当該情報が過去の走行情報として記憶されればよい。
【００５８】
＜１−４．報知処理部による報知処理＞
以下、報知処理部１０２による報知処理の手順について例示する。図３は、報知処理部１０２による報知処理の手順を例示するフローチャートである。なお、報知処理部１０２による報知処理は、記憶処理部１０１による記憶処理と同時に実行されてよい。
【００５９】
報知処理部１０２は、自車両が属性情報を有する場所に接近したか否かを監視する（ステップＳ１１）。当該監視は、地図情報１２１、属性情報データベース１２２、及び、ＧＰＳ受信部１７から得られる自車両の位置情報に基づいて行われる。詳細には、報知処理部１０２は、自車両が属性情報を有する場所を通過する道路を走行し、且つ、自車両が属性情報を有する場所から所定範囲内に存在する場合に、自車両が属性情報を有する場所に接近したと認識する。所定範囲内は、例えば１ｋｍ以内等であってよい。
【００６０】
なお、本実施の形態では、報知処理部１０２と記憶処理部１０１とで、同じ属性情報データベース１２２が参照される。ただし、これは例示であり、報知処理部１０２と記憶処理部１０１とで、異なる属性情報データベースが参照されてよい。ただし、この場合、報知処理部１０２用のデータベースに含まれる属性情報の全てが、記憶処理部１０１用のデータベースに含まれる属性情報の中に包含されていることが好ましい。
【００６１】
図４は、表示装置４１の表示画面を例示する模式図である。図４に示す表示画面中には、地図と、自車両位置ＶＰとが示される。図４は、自車両位置ＶＰが東京スカイツリーＴＳに接近した状態を示す。東京スカイツリーＴＳは、属性情報データベース１２２中に含まれる属性情報である「ランドマークタワー」に分類される。このために、報知処理部１０２は、自車両の東京スカイツリーＴＳへの接近に伴い、自車両が属性情報を有する場所に接近したことを認識する。
【００６２】
図３に戻って、報知処理部１０２は、自車両が属性情報を有する場所に接近したと認識すると（ステップＳ１１でＹｅｓ）、メモリカード１５０に記憶される過去の走行情報の中に、自車両が接近する場所と同一の属性情報を有する過去の走行情報があるか否かを確認する（ステップＳ１２）。図４に示す例では、メモリカード１５０にランドマークタワーという属性情報を有する過去の走行情報が発見された場合に、報知処理部１０２は、同一の属性情報を有する過去の走行情報があると判断する。なお、同一の属性情報を有する過去の走行情報がないと判断される場合（ステップＳ１２でＮｏ）、ステップＳ１１に戻る。
【００６３】
報知処理部１０２は、同じ属性情報を有する過去の走行情報が有った場合（ステップＳ１２でＹｅｓ）、そのことを報知する処理を行う（ステップＳ１３）。図５は、同じ属性情報を有する過去の走行情報が有った場合の表示装置４１の表示画面の一例を示す模式図である。図５に示すように、報知処理部１０２は、同じ属性情報を有する過去の走行情報が有った場合、そのことを報知する処理として、アイコンＩＣ１を表示画面に表示させる処理を行う。
【００６４】
なお、アイコンＩＣ１は例示であり、例えば、アイコンＩＣ１の代わりにテキスト情報が画面に表示されてもよい。また、場合によっては、同じ属性情報を有する過去の走行情報が有ったことを報知するために、過去の走行情報に含まれる動画情報を再生する処理が行われてもよい。
【００６５】
報知処理部１０２の処理によってアイコンＩＣ１が表示画面に表示された後、報知処理部１０２は、アイコンＩＣ１が押下されたか否かを確認する（ステップＳ１４）。本実施の形態では、表示装置４１はタッチパネルを有する。アイコンＩＣ１が表示された部分をユーザがタッチすることによって、アイコンＩＣ１が押下されたと判断する。報知処理部１０２は、アイコンＩＣ１の表示処理後、所定期間の間にアイコンＩＣ１が押下されない場合に、アイコンＩＣ１が押下されていないと判断する。この場合、後述のステップＳ１６が行われる。
【００６６】
報知処理部１０２は、アイコンＩＣ１が押下されたと判断すると（ステップＳ１４でＹｅｓ）、過去の走行情報に含まれる動画情報を再生する処理を行う（ステップＳ１５）。図６は、動画が再生された場合の表示装置４１の表示画面の一例を示す模式図である。本実施の形態では、図６に示すように、動画は表示画面の一部の領域Ｒを使って再生される。ただし、動画は、表示画面の全体を使って再生されてもよい。
【００６７】
この後、報知処理部１０２は、動作終了イベントが発生しているか否かを確認する（ステップＳ１６）。動作終了イベントとしては、例えば動画の再生処理が終了した状態、表示装置４１の画面がオフされた状態、自車両のエンジンが停止された状態等が挙げられる。動作終了イベントが発生していなければ（ステップＳ１６でＮｏ）、ステップＳ１１に戻る。一方、動作終了イベントが発生していれば（ステップＳ１６でＹｅｓ）、車両用装置１は図３に示すフローチャートの動作を終了する。
【００６８】
なお、ステップＳ１６を実施する代わりに、動作終了イベントが発生しているか否かを車両用装置１がフローチャートの動作中常時監視し、動作終了イベントが発生すれば直ちにフローチャートの動作を終了する構成としてもよい。この場合、ステップＳ１５の処理が終わるとステップＳ１に戻るようにすればよい。
【００６９】
また、同じ属性情報を有する過去の走行情報が複数存在することも有り得る。この場合には、ステップＳ１３において、報知処理部１０２が、複数の過去の走行情報をリスト表示させる構成としてもよい。そして、ステップＳ１４において、リストの中から再生対象となる過去の走行情報が選択された場合に、ステップＳ１５の動画再生処理が行われる構成としてもよい。ステップＳ１５の動画再生時において、図６に破線で示すような切替えアイコンＩＣ２を表示して、切替えアイコンＩＣ２を使った操作により、再生する動画情報を切り替える構成としてもよい。
【００７０】
＜２．第２の実施の形態＞
次に、第２の実施の形態について説明する。ただし、第２の実施の形態は、第１の実施の形態と同様のシステム構成である。また、第２の実施の形態の車両用装置１は、第１の実施の形態とほぼ同様の構成である。第１の実施の形態と同様の構成については、特に説明の必要がない場合には、その説明を省略する。第１の実施の形態と異なる点を中心に説明を行う。
【００７１】
図７は、第２の実施の形態に係る車両用装置１が備える不揮発性メモリ１２について説明するための図である。図７に示すように、不揮発性メモリ１２に記憶されるデータには、第１の実施の形態と同様に、地図情報１２１と、属性情報データベース１２２とが含まれる。第２の実施の形態では、この他に、付加情報データベース１２３が不揮発性メモリ１２に記憶される。付加情報は、属性情報を有する場所の特徴を更に細かく分類する情報である。すなわち、付加情報は、属性情報とセットで利用される。本実施の形態では、付加情報データベース１２３は、記憶処理用の記憶用付加情報１２３ａと、報知処理用の報知用付加情報１２３ｂとを含む。
【００７２】
図８は、記憶用付加情報１２３ａについて説明するための模式図である。図８に示す例では、記憶用付加情報１２３ａは、属性情報を有する場所を更に細かく分類する情報として、「サイズ」、「形状」、及び、「周辺環境」を含む。各項目は、更に、細かく分類されている。例えば、「サイズ」については、「大」、「中」、「小」といった分類がなされている。「形状」については、「四角い」、「丸い」、「細長い」といった分類がなされている。「周辺環境」については、「海の近く」、「山の近く」、「市街地」といった分類がなされている。なお、記憶用付加情報は、属性情報毎に別々に設定されてよい。属性情報によってサイズ等の概念が異なることがあるためである。
【００７３】
記憶用付加情報は、ユーザの好みで設定できることが好ましい。図８に示す例では、ユーザは、予め準備された複数の付加情報のうち、チェックボックスＣＢによる選択によって、「サイズ」の「大」と、「周辺環境」の「海が近い」を選択している。なお、選択される付加情報は単数でも複数でもよい。全てのチェックボックスＣＢが選択されてもよいし、いずれのチェックボックスＣＢも選択されなくてもよい。いずれのチェックボックスＣＢも選択されない場合には、実質的は付加情報がないことになる。また、例えば、サイズの判断基準や、海が近いか否かの判断基準等は、記憶用付加情報の中に含まれていることが好ましい。
【００７４】
車両用装置１は、第１の実施の形態と同様に、記憶処理部１０１を有する。記憶処理部１０１は、自車両が所定の属性情報を有する場所を走行したと判断される場合に、過去の走行情報の記憶処理を行う。第１の実施の形態では、所定の属性情報を有する場所は、単に、属性情報データベース１２２に含まれる属性情報を有する場所のことであった。第２の実施の形態では、所定の属性情報を有する場所は、属性情報データベース１２２に含まれる属性情報を有する場所、且つ、予め設定された記憶用付加情報を満たす場所である。
【００７５】
例えば、属性情報データベース１２２の中に、属性情報として「公園」が含まれているとする。第２の実施の形態では、図８に示すように、付加情報として「サイズが大きいこと」、及び、「海の近くであること」が条件付けられている。このために、記憶処理部１０１は、自車両が公園を通過する場合に、地図情報１２２に基づいて、当該公園のサイズが大きいか否かと、公園の近くに海があるか否かを判断する。なお、サイズが大きいと判断される面積を何ｍ２以上とするかが予め設定されており、公園の面積が設定された面積以上の場合に、記憶処理部１０１はその公園をサイズが大きいと判断する。また、近くであると判断される距離を何ｍ以下とするかが予め設定されており、公園の位置からの海までの距離が設定された距離以下の場合に、記憶処理部１０１はその公園を海の近くであると判断する。記憶処理部１０１は、当該公園が海の近くの大きな公園であると判断した場合、過去の走行情報の記憶処理を行う。記憶処理部１０１は、「公園のサイズが大きいこと」及び「公園が海の近くであること」のうち、いずれか一方でも条件を満たさない場合には、過去の走行情報の記憶処理を行わない。
【００７６】
第２の実施の形態では、記憶処理部１０１は、属性情報に加えて、属性情報を有する場所の特徴を更に細かく分類する付加情報も関連付けて記憶処理を行う。これによって、過去の走行情報として報知する対象の絞り込みを行うことが可能になる。例えば、記憶処理部１０１は、海の近くの大きな公園を通過した場合に、カメラ２で撮影された動画情報に関連付けて、「公園」という属性情報と、「サイズが大きい」及び「海の近くにある」という付加情報とを記憶する処理を行う。記憶される付加情報には、予め選択された付加情報（例えば図８のチェックボックスＣＢで選択された付加情報）以外に、地図情報１２２から検出される付加情報が含められてよい。
【００７７】
なお、本実施の形態は、記憶処理部１０１は、記憶用付加情報１２３ａに設定される条件を満たした場合に、過去の走行情報の記憶処理を行う構成とした。しかし、これは例示であり、記憶処理部１０１は、第１の実施の形態と同様に、単に属性情報データベース１２２に含まれる属性情報を有する場所を通過したと判断される場合に、過去の走行情報の記憶処理を行う構成としてよい。この構成でも、カメラ２で撮影された撮影情報と関連付けて記憶される情報に、付加情報を含めることができる。どのような付加情報を含めるかが判断できるように、例えば、付加情報として含めるべき内容を列挙したテーブルを予め用意しておけばよい。これによれば、当該テーブルと地図情報１２１とに基づいて、記憶すべき付加情報の有無及び種類を判断することができる。
【００７８】
図９は、報知用付加情報１２３ｂについて説明するための模式図である。図９に示す例では、報知用付加情報１２３ｂは、属性情報を有する場所を更に細かく分類する情報として、「サイズ」、「形状」、及び、「周辺情報」を含む。なお、報知用付加情報１２３ａは、属性情報毎に別々に設定されてよい。
【００７９】
報知用付加情報１２３ｂは、ユーザの好みで設定できることが好ましい。図９に示す例では、ユーザは、予め準備された複数の付加情報のうち、チェックボックスＣＢによる選択によって、「サイズ」と「周辺環境」とを選択している。なお、選択される付加情報は単数でも複数でもよい。全てのチェックボックスＣＢが選択されてもよいし、いずれのチェックボックスＣＢも選択されなくてもよい。いずれのチェックボックスＣＢも選択されない場合には、実質的は付加情報がないことになる。
【００８０】
車両用装置１は、第１の実施の形態と同様に、報知処理部１０２を有する。報知処理部１０２は、属性情報に付加情報も加えて、過去の走行情報に関する報知を行うか否かを判断する。これによれば、属性情報を有する場所の特徴を更に細かく分類した付加情報も加味して過去の走行情報に関する報知を行うか否かが判断されるために、報知する情報を絞り込むことができる。ユーザの好みに応じた情報のみを報知させることが可能になる。
【００８１】
本実施の形態では、報知処理部１０２は、自車両の現在の走行位置の近傍に存在する属性情報及び付加情報と同じ情報を有する過去の走行情報を検出した場合に、検出した過去の走行情報を報知する処理を行う。これによれば、付加情報の追加によって、過去の走行情報と非常に似た場所を訪れた場合に絞って、過去の走行情報に関する報知を行うことができる。
【００８２】
例えば、自車両が或る公園の近傍を走行しており、属性情報データベース１２２に公園が含まれているとする。報知処理用付加情報１２３ｂには、図９に示す情報が含まれているとする。また、メモリカード１５０には、過去の走行情報として、或る公園とは別の公園を通過した時の動画情報が、属性情報「公園」、付加情報「サイズが大きい」及び「海の近く」と関連付けられて記憶されているとする。
【００８３】
報知処理部１０２は、公園の接近に伴い、自車両の現在の走行位置の近傍に属性情報を有する場所が存在することを認識する。報知処理部１０２は、まず、属性情報として公園を有する過去の走行情報があるか否かを判断する。公園の走行情報がある場合、当該走行情報に関連付けられた付加情報が、現在接近中の公園の地図情報１２２から得られる情報と同一であるか否かを確認する。
【００８４】
本例では、付加情報は「サイズ」と「周辺環境」である。報知処理部１０２は、現在接近中の公園のサイズと周辺環境が、過去の走行情報に含まれる付加情報と同じであるか否かを確認する。報知処理部１０２は、現在接近中の公園が海の近くの大きな公園であると判断した場合、過去に訪れた似た場所を報知すべく、過去の走行情報を報知する処理を行う。一方、報知処理部１０２は、現在接近中の公園が「サイズが大きい」及び「海の近くである」のうち、いずれか一方の条件でも満たさない場合には、過去の走行情報を報知する処理を行わない。
【００８５】
なお、本実施の形態では、報知処理部１０２は、自車両の現在の走行位置の近傍に存在する属性情報と付加情報との両方が一致する過去の走行情報を報知する処理を行う構成とした。これは例示である。報知処理部１０２が、属性情報に付加情報も加えて、過去の走行情報に関する報知を行うか否かを判断する構成は別の構成であってもよい。
【００８６】
例えば、報知処理部１０２は、自車両の現在の走行位置の近傍に存在する属性情報と一致する過去の走行情報が検出された場合に、当該検出された過去の走行情報が予め設定される付加情報を満たすことを条件として、当該検出された過去の走行情報を報知する処理を行ってもよい。この場合、報知用付加情報は、本実施の形態とは異なる構成とする必要がある。報知用付加情報は、例えば単に「サイズ」ではなく、「サイズが大きい」等の具体的な情報とする必要がある。報知用付加情報は、例えば、図８に示す記録用付加情報１２３ａと同様の構成であってよい。当該変形例によれば、属性情報の一致のみで、過去の思い出深い場所について思い出すきっかけを与えることができる。
【００８７】
＜３．留意事項＞
本明細書で示す実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。
【００８８】
また、以上に示した実施形態では、プログラムに従ったＣＰＵの演算処理によってソフトウェア的に各種の機能が実現されていると説明したが、これらの機能のうちの少なくとも一部は電気的なハードウェア回路により実現されてもよい。また逆に、ハードウェア回路によって実現されるとした機能のうちの少なくとも一部は、ソフトウェア的に実現されてもよい。
【符号の説明】
【００８９】
１  車両用装置
１０１  記憶処理部
１０２  報知処理部
１２１  地図情報
１２２  属性情報データベース
１２３  付加情報データベース
【図１】
2018205261.tif 000003
【図２】
2018205261.tif 000004
【図３】
2018205261.tif 000005
【図４】
2018205261.tif 000006
【図５】
2018205261.tif 000007
【図６】
2018205261.tif 000008
【図７】
2018205261.tif 000009
【図８】
2018205261.tif 000010
【図９】
2018205261.tif 000011